(57)【要約】【課題】ディジタル形保護／制御装置のＩＰアドレスが、操作者にとって不明となった場合でも、ディジタル形保護／制御装置と外部ヒューマンインタフェース装置の相互通信を可能とする。【解決手段】ＩＰ通信を行うＩＰ通信機能部を有し、ＩＰ通信機能部内のメモリに設定された固有のＩＰアドレス情報を用いて、外部装置と相互通信するディジタル形保護／制御装置において、ＩＰアドレス情報として、当初は予め与えられた初期値を、また運転時はユーザ設定値を格納するメモリと、メモリに格納されたユーザ設定値に対して、初期値に書換えるＩＰアドレス情報所定値書き換え指令を入力する入力部と、入力部から入力されたＩＰアドレス情報所定値書換え指令に従い、書換えを実行するＩＰアドレス情報所定値書換え手段とを具備する。【選択図】図１
2006353021.tif 000002
【特許請求の範囲】
【請求項１】
ＩＰ通信を行うＩＰ通信機能部を有し、前記ＩＰ通信機能部内のメモリに設定された固有の対外部ヒューマンインターフェイス装置用ＩＰアドレス情報を用いて、外部ヒューマンインターフェイス装置と相互通信するディジタル形保護／制御装置において、
前記対外部ヒューマンインターフェイス装置用ＩＰアドレス情報として、予め設定された初期設定値を、ユーザが独自に設定し直したユーザ設定値に置換えて格納するメモリと、
ＩＰアドレス所定値書換え処理部を起動し、書換え作業を実行させる指令を入力する入力部と、
前記入力部から入力された前記指令に従い、前記メモリに格納されたユーザ設定値を、前記初期設定値に書換えるＩＰアドレス所定値書換え処理部と
を具備することを特徴とするディジタル形保護／制御装置。
【請求項２】
ＩＰ通信を行うＩＰ通信機能部を有し、前記ＩＰ通信機能部内のメモリに設定された固有の対外部ヒューマンインターフェイス装置用ＩＰアドレス情報を用いて、外部ヒューマンインターフェイス装置と相互通信するディジタル形保護／制御装置において、
前記対外部ヒューマンインターフェイス装置用ＩＰアドレス情報として、予め設定された初期設定値を、ユーザが独自に設定し直したユーザ設定値に置換えて格納するメモリと、
ＩＰアドレス任意値書換え処理部を起動し、書換え作業を実行させる指令を入力する入力部と、
前記入力部から入力された前記指令に従い、前記メモリに格納されたユーザ設定値を、ユーザが独自に設定する任意の値に書き換えるＩＰアドレス任意値書換え処理部と
を具備することを特徴とするディジタル形保護／制御装置。
【請求項３】
前記入力部は、前記ディジタル形保護／制御装置の外部に設定されることを特徴とする請求項１または２に記載のディジタル形保護／制御装置。
【発明の詳細な説明】
【技術分野】
【０００１】
本発明は、自己のＩＰアドレスが不明になっても、外部ヒューマンインターフェイスとの相互通信が可能となる手段を具備するディジタル形保護／制御装置に関する。
【背景技術】
【０００２】
従来、電力系統を保護する保護継電装置や制御する制御装置には種々のものがあるが、マイクロコンピュータ等のディジタル演算処理装置を用いて電力系統の保護又は制御を行う、いわゆるディジタル形保護継電装置または制御装置（以下、ディジタル形保護／制御装置と称す）が多く採用されている。
【０００３】
このディジタル形保護／制御装置は、電力系統からアナログ入力回路に入力される電気量を、所定のサンプリング周期でアナログ／ディジタル変換した後、そのディジタル信号を演算処理装置に取込んで、保護リレー演算アルゴリズム等の所定の演算処理を行うものである。なお、この種の技術は既に公知である（例えば、非特許文献１参照）ので、ここでは、その詳細な説明は省略する。
【０００４】
上述したディジタル形保護／制御装置は、動作内容や運用状態を表示する表示手段として、例えば、外部ヒューマンインタフェース装置であるパーソナルコンピュータを用いている。
【０００５】
このような外部ヒューマンインタフェース装置を用いたディジタル形保護／制御装置は、外部ヒューマンインタフェース装置との間で情報伝送するために、インターネットプロトコル（Ｉｎｔｅｒｎｅｔ  Ｐｒｏｔｏｃｏｌであり、以下ＩＰと称す）通信を多用している。ＩＰ通信の方法は、公知の技術である（例えば、非特許文献２参照）ので、ここでは詳細な説明は省略する。
【０００６】
図３は、従来の外部ヒューマンインタフェース装置３０を用いたディジタル形保護／制御装置１０の構成を示す構成図である。ディジタル形保護／制御装置１０は、その内部に、電力系統の保護・制御を行う保護制御部（図示していない）と、ＩＰ通信を行うＩＰ通信機能部１１を有している。ＩＰ通信機能部１１は、その内部に、ＩＰアドレスを記憶するメモリ１２ａを有している。メモリ１２ａは、対外部ヒューマンインタフェース装置用ＩＰアドレス情報１２ｂを格納している。
【０００７】
ディジタル形保護／制御装置１０のＩＰ通信機能部１１は、ディジタル形保護／制御装置１０固有のＩＰアドレスを用いて、外部ヒューマンインタフェース装置３０と相互通信を行っている。
【０００８】
外部ヒューマンインタフェース装置３０と相互通信するにあたり、ディジタル形保護／制御装置１０では、メモリ１２ａに記憶されたＩＰアドレス１２ｂの設定や表示が、ＩＰ通信機能部１１を介して、外部ヒューマンインタフェース装置３０によって実施されている（例えば、特許文献２参照）。
【０００９】
以下に、従来から使われている動作機能として、第１に、ディジタル形保護／制御装置１０の保護制御情報を確認する方法と、第２に、外部ヒューマンインタフェース装置３０により、対外部ヒューマンインタフェース装置用ＩＰアドレス情報１２ｂを新しい値に書換える方法について説明する。
【００１０】
第１の、外部ヒューマンインタフェース装置３０からＩＰ通信網２０を介してディジタル形保護／制御装置１０の保護制御情報を確認する従来方法について説明する。
【００１１】
まず、外部ヒューマンインタフェース装置３０の操作者は、外部ヒューマンインタフェース装置３０に、ディジタル形保護／制御装置１０に用意した対外部ヒューマンインタフェース装置用ＩＰアドレス情報１２ｂに基づく内容を設定する必要がある。  
このために、操作者は、予め対外部ヒューマンインタフェース用ＩＰアドレス情報１２ｂを知っておかなければならない。
【００１２】
操作者は、対外部ヒューマンインタフェース用ＩＰアドレス情報１２ｂを知った上で、外部ヒューマンインタフェース装置３０を操作して、ＩＰ通信網２０を介して、ディジタル形保護／制御装置１０のＩＰ通信機能部１１にＩＰ通信を開始し、ＩＰ通信手順に基づき、ディジタル形保護／制御装置１０へ保護制御情報取得等の要求を送信する。
【００１３】
すると、ＩＰ通信機能部１１は、外部ヒューマンインタフェース装置３０から受信した保護制御情報取得等の要求に基づいて、図示していない保護制御情報の処理を実行し、同要求に対する応答を、ＩＰ通信網２０を介して、外部ヒューマンインタフェース装置３０へ返信する。
【００１４】
つぎに、外部ヒューマンインタフェース装置３０は、ＩＰ通信機能部１１から受信した上記応答に基づいて、ディジタル形保護／制御装置１０の保護制御情報を表示する。  
このようにして、操作者は、外部ヒューマンインタフェース装置３０により、ディジタル形保護／制御装置１０の保護制御情報を確認することができる。
【００１５】
第２に、外部ヒューマンインタフェース装置３０により対外部ヒューマンインタフェース装置用ＩＰアドレス情報１２ｂを新しい値に書換える従来方法について説明する。
【００１６】
まず、外部ヒューマンインタフェイス装置３０の操作者は、外部ヒューマンインタフェース装置３０とディジタル形保護／制御装置１０の間でＩＰ通信を開始する。  
このために、操作者は、予め対外部ヒューマンインタフェース用ＩＰアドレス情報１２ｂを知っておかなければならない。
【００１７】
ＩＰ通信を開始した上で、操作者が、外部ヒューマンインタフェース装置３０により、対外部ヒューマンインタフェース装置用ＩＰアドレス情報１２ｂの「表示操作」を行うと、外部ヒューマンインタフェース装置３０は、ＩＰ通信網２０を介して、ＩＰ通信機能部１１に対し、対外部ヒューマンインタフェース装置用ＩＰアドレス情報１２ｂの取得要求を送信する。
【００１８】
ＩＰ通信機能部１１は、同要求に対する応答として、対外部ヒューマンインタフェース装置用ＩＰアドレス情報１２ｂを、ＩＰ通信網２０を介して、外部ヒューマンインタフェース装置３０に返信する。
【００１９】
外部ヒューマンインタフェース装置３０は、ＩＰ通信機能部１１から受信した対外部ヒューマンインタフェース装置用ＩＰアドレス情報１２ｂを表示する。
【００２０】
つぎに、外部ヒューマンインタフェース装置３０の操作者は、外部ヒューマンインタフェース装置３０により、所定の設定操作手順に従い、対外部ヒューマンインタフェース装置用ＩＰアドレス情報１２ｂを新しい値に書換える操作を行う。
【００２１】
外部ヒューマンインタフェース装置３０は、ＩＰ通信網２０を介して、ＩＰ通信機能部１１に、書換えるべき値の対外部ヒューマンインタフェース装置用ＩＰアドレス情報１２ｂを、メモリ１２ａへ書換える要求を送信する。
【００２２】
ＩＰ通信機能部１１は、外部ヒューマンインタフェース装置３０から受信した同要求に基づいて、メモリ１２ａの対外部ヒューマンインタフェース装置用ＩＰアドレス情報１２ｂを、新しい値に書換える。
【００２３】
ＩＰ通信機能部１１は、同要求の応答として、新しい値に書き換えられたメモリ１２ａの対外部ヒューマンインタフェース装置用ＩＰアドレス情報１２ｂを、ＩＰ通信網２０を介して、外部ヒューマンインタフェース装置３０へ送信する。
【００２４】
外部ヒューマンインタフェース装置３０は、ＩＰ通信機能部１１から受信した新しい値の対外部ヒューマンインタフェース装置用ＩＰアドレス情報１２ｂを書き換えて表示する。
【００２５】
このようにして、外部ヒューマンインタフェース装置３０の操作者は、外部ヒューマンインタフェース装置３０により、対外部ヒューマンインタフェース装置用ＩＰアドレス情報１２ｂを新しい値に書換えている。
【特許文献１】特開２００３−０７９０７２号公報
【非特許文献１】大浦好文監修「保護リレーシステム工学」電気学会  ２００２年３月１５日  第５章
【非特許文献２】小野瀬一志著「わかりやすいＬＡＮの技術」オーム社  平成１４年５月２０日  第６章
【発明の開示】
【発明が解決しようとする課題】
【００２６】
ディジタル形保護／制御装置が、ＩＰ通信機能部を介して外部ヒューマンインタフェース装置と相互通信を行うためには、外部ヒューマンインタフェース装置の操作者が、ディジタル形保護／制御装置のＩＰアドレスを正確に認識して当該ＩＰアドレスを正しく外部ヒューマンインタフェース装置に入力しておく必要がある。
【００２７】
したがって、ディジタル形保護／制御装置のＩＰアドレスが不明になって、正しく入力できない場合には、外部ヒューマンインタフェース装置は、相互通信ができなくなるので、元々ディジタル形保護／制御装置に記憶されているディジタル形保護／制御装置のＩＰアドレスを、表示することも、書換えることもできないという問題が生じる。
【００２８】
例えば、前述した特許文献１が示すように、ディジタル形保護／制御装置内部に前面表示器を設け、前面表示器にディジタル形保護／制御装置固有のＩＰアドレスを表示する方法があり、ＩＰアドレスが不明になることはない。しかしながら、前面表示器を持たないディジタル形保護／制御装置においては、ディジタル形保護／制御装置固有のＩＰアドレスが不明になれば、それを表示することはできないので、外部ヒューマンインタフェース装置と相互通信を行うことができない。
【００２９】
そこで、本発明は、前面表示器を持たないディジタル形保護／制御装置の固有のＩＰアドレスが不明となった場合においても、ディジタル形保護／制御装置と外部ヒューマンインタフェース装置の相互通信が可能となるようにする手段を具備するディジタル形保護／制御装置を提供することを目的とする。
【課題を解決するための手段】
【００３０】
上記の目的を達成するために、本発明は、ＩＰ通信を行うＩＰ通信機能部を有し、ＩＰ通信機能部内のメモリに設定された固有のＩＰアドレス情報を用いて、外部装置と相互通信するディジタル形保護／制御装置において、ＩＰアドレス情報として、当初は予め与えられた初期値を、また運転時はユーザ設定値を格納するメモリと、メモリに格納されたユーザ設定値に対して、初期値に書換えるＩＰアドレス情報設定値書換え指令を入力する入力部と、入力部から入力されたＩＰアドレス情報設定値書換え指令に従い、書換えを実行するＩＰアドレス情報設定値書換え手段とを具備することを特徴とする。
【００３１】
また、本発明のディジタル形保護／制御装置は、ＩＰ通信を行うＩＰ通信機能部を有し、ＩＰ通信機能部内のメモリに設定された固有のＩＰアドレス情報を用いて、外部装置と相互通信するディジタル形保護／制御装置において、ＩＰアドレス情報として、当初は予め与えられた初期設定値を、また運転時はユーザ設定値を格納するメモリと、数値入力可能なデバイスを操作して、メモリに格納されたユーザ設定値に対して、ユーザが選ぶ任意の数値に書換えるＩＰアドレス情報任意値書換え指令を入力する入力部と、
入力部から入力されたＩＰアドレス情報任意値書換え指令により、書換えを実行するＩＰアドレス情報任意値書換え手段とを具備することを特徴とする。
【発明の効果】
【００３２】
本発明は、前面表示器を持たないディジタル形保護／制御装置のＩＰアドレスが不明となった場合においても、ディジタル形保護／制御装置と外部ヒューマンインタフェース装置の相互通信が可能となる。
【発明を実施するための最良の形態】
【００３３】
本発明の実施例について図を参照して説明する。
【実施例１】
【００３４】
図１は、本発明の実施例１におけるディジタル形保護／制御装置の構成図である。なお、保護／制御機能部は当然有しているが、本発明に直接関与しないので、その記載は省略する。
【００３５】
図１において、１０は、ディジタル形保護／制御装置であり、例えば、保護リレー装置等である。１１は、ディジタル形保護／制御装置１０のＩＰ通信機能部であり、ディジタル形保護／制御装置１０のＩＰ通信を行う部分である。１２ａは、ＩＰ通信機能部１１に具備されたメモリである。メモリ１２ａには、対外部ヒューマンインタフェース装置用ＩＰアドレス情報１２ｂおよび対外部ヒューマンインタフェース装置用初期ＩＰアドレス情報１２ｃが格納されている。１３ａは、ＩＰ通信機能部１１に具備されたＩＰアドレス所定値書換え処理部であり、メモリ１２ａの対外部ヒューマンインタフェース装置用ＩＰアドレス情報１２ｂを、例えば９９．９９．９９．９９のように予め決められた所定値、すなわち初期値に書換える。１４ａは、入力部であり、例えば、押し釦のようなスイッチが並んだパネル等である。
【００３６】
１５は、ＩＰ通信に依存しない内部バスであり、ＩＰ通信機能部１１と入力部１４ａとの間の相互データ転送を行うための通信媒体であり、例えば、ＲＳ−２３２Ｃ、ＲＳ−４８５あるいはＵＳＢのようなシリアルバス、または、ＰＣＩやＳＣＳＩのようなパラレルバスである。なお、ＩＰ通信機能部１１、入力部１４ａおよび内部バス１５は、ディジタル形保護／制御装置１０の内部に設けられている。
【００３７】
２０は、ＩＰ通信網であり、例えば、イーサネット（登録商標）ＬＡＮ等である。３０は、ディジタル形保護／制御装置１０とは別に設けた外部ヒューマンインタフェース装置であり、例えば、パーソナルコンピュータ等である。外部ヒューマンインタフェース装置３０は、ＩＰ通信網２０を介して、ディジタル形保護／制御装置１０の動作内容や運用状態等の保護制御情報の確認、ディジタル形保護／制御装置１０の整定や設定情報の確認および変更を行うための装置である。なお、ディジタル形保護／制御装置１０および外部ヒューマンインタフェース装置３０は、実際には複数台が存在するが、ここでは便宜上それぞれ１台として記述している。
【００３８】
以下に、本実施例１におけるディジタル形保護／制御装置１０の動作機能として、本実施例１において新たに設定した入力部１４ａにより、対外部ヒューマンインタフェース装置用ＩＰアドレス情報１２ｂを書換える方法について説明する。
【００３９】
まず、入力部１４ａの操作者が、入力部１４ａにおいて、予め定められた起動操作を行うと、内部バス１５を介して、ＩＰ通信機能部１１のＩＰアドレス所定値書換え処理部１３ａが起動する。
【００４０】
つぎに、起動されたＩＰアドレス所定値書換え処理部１３ａは、メモリ１２ａの対外部ヒューマンインタフェース装置用ＩＰアドレス情報１２ｂを、既にメーカによって決められた値すなわち初期値（以下、初期ＩＰアドレス情報１２ｃと呼ぶ）に書き換え処理を行う。このとき、メモリ１２ａの対外部ヒューマンインタフェース装置用ＩＰアドレス情報１２ｂは、一時的に、初期ＩＰアドレス情報１２ｃに戻っている。この初期ＩＰアドレス情報１２ｃは、操作者が容易に確認できるものである。
【００４１】
そこで、操作者は、メモリ１２ａの対外部ヒューマンインタフェース装置用ＩＰアドレス情報１２ｂが不明になっても、外部ヒューマンインタフェース装置３０に、一時的に戻した対外部ヒューマンインタフェース装置用初期ＩＰアドレス情報１２ｃに基づく内容を設定することにより、外部ヒューマンインタフェース装置３０を操作して、ＩＰ通信網２０を介してディジタル形保護／制御装置１０とＩＰ通信を開始する。
【００４２】
以上説明したように、従来のディジタル形保護／制御装置のメモリ１２ａには、メーカが、初期値を設定しているが、運転時には、ユーザが、ユーザにしか分からない暗号的なユニークな値に設定し直している。このユーザ設定値を、ユーザが忘れたり不明になることが問題であったが、本実施例は、このような問題に対処する手段を示したものである。
【００４３】
本実施例によれば、上記操作者は、対外部ヒューマンインタフェース装置用ＩＰアドレス情報１２ｂが不明になっても、入力部１４ａからＩＰアドレス所定値書換え処理部１３ａを起動し、一時的に、対外部ヒューマンインタフェース装置用ＩＰアドレス情報１２ｂを既知の初期ＩＰアドレス情報１２ｃに書換え、外部ヒューマンインタフェース装置３０に対外部ヒューマンインタフェース装置用初期ＩＰアドレス情報１２ｃに基づく内容を設定して、外部ヒューマンインタフェース装置３０を操作することにより、ＩＰ通信網２０を介してディジタル形保護／制御装置１０とＩＰ通信を開始することができる。
【００４４】
一方、「背景技術」で述べたように、上記操作者は、外部ヒューマンインタフェース装置３０へ、初期ＩＰアドレス情報１２ｃに基づく内容を設定することにより、外部ヒューマンインタフェース装置３０から、ディジタル形保護／制御装置１０の保護制御情報を確認することも可能となる。また、対外部ヒューマンインタフェース装置用初期ＩＰアドレス情報１２ｃをユーザが任意に設定すべき固有の、ユニークな値に変更することもできる。  
【実施例２】
【００４５】
本発明の実施例２について、図２を参照して説明する。実施例１の図１と同一部分には、同一符号を付してその説明を省略し、ここでは相違する部分だけを説明する。
【００４６】
図２において、１４ｂは、ディジタル形保護／制御装置１０内部に設けられた入力部である。ただし、この入力部１４ｂは、ディジタル形保護／制御装置１０の外部にあってもよい。この入力部１４ｂは、例えば、テンキー機能を搭載したパネルや外部のパーソナルコンピュータ等を接続できる接続端子等であり、任意の数値を入力することができる機能を有している。１３ｂは、ＩＰ通信機能部１１に具備されたＩＰアドレス任意値書き換え処理部である。
【００４７】
以下に、入力部１４ｂにより対外部ヒューマンインタフェース装置用ＩＰアドレス情報１２ｂを書き換える方法について説明する。
【００４８】
先に述べたように、従来のディジタル形保護／制御装置１０のメモリ１２ｂには、当初、メーカが設定した初期値が格納されているが、運転時には、ユーザが任意に決められる値に設定し直している。このユーザ設定値が操作者にとって不明になることが問題であったが、本実施例は、これに対処するために、実施例１とは異なる手段を示したものである。
【００４９】
本実施例では、外部ヒューマンインタフェース装置３０の操作者にとって、ユーザ設定値が不明になった場合に、入力部１４ｂから所定の起動操作を行って、ＩＰアドレス任意値書換え処理部１３ｂを起動する。さらに、入力部には、データ入力部があり、このデータ入力部から任意のデータが、内部バス１５を介して起動されたＩＰアドレス任意値書換え処理部１３ｂに送付される。ＩＰアドレス任意値書換え処理部１３ｂは、メモリ１２ａの対外部ヒューマンインタフェース装置用ＩＰアドレス情報１２ｂを、操作者が予め承知している任意の値に書換える処理を行う。
【００５０】
そこで、操作者は、メモリ１２ａの対外部ヒューマンインタフェース装置用ＩＰアドレス情報１２ｂを忘れても、外部ヒューマンインタフェース装置３０に、上記任意の値に基づく内容を設定することにより、外部ヒューマンインタフェース装置３０を操作して、ＩＰ通信網２０を介してディジタル形保護／制御装置１０とＩＰ通信を開始する。
【００５１】
本実施例によれば、実施例１のように、一時的に初期値に戻して、再度ユーザが独自に設定する値を入力する操作を行うということはなく、上記ユーザが任意に決められる値を、そのままユーザが独自に設定する値として用いることができる。その結果、本実施例は、実施例1に比べて、操作が簡単になる。
【００５２】
なお、外部ヒューマンインタフェース装置３０により、ディジタル形保護／制御装置１０の保護制御情報を確認する方法やＩＰアドレスの変更については、既に「背景技術」において説明したとおりである。すなわち、外部ヒューマンインタフェース装置３０へ任意の値のＩＰアドレス情報に基づく内容を設定した後に、外部ヒューマンインタフェース装置３０からＩＰ通信網２０を介して、ディジタル形保護／制御装置１０の保護制御情報を確認したり、ＩＰアドレスを変更することもできる。
【産業上の利用可能性】
【００５３】
本発明は、操作者にとって、ディジタル形保護／制御装置のＩＰアドレスが不明となった場合においても、ディジタル形保護／制御装置と外部ヒューマンインタフェース装置の相互通信が不可欠な用途に適用できる。
【図面の簡単な説明】
【００５４】
【図１】ディジタル形保護／制御装置の構成の一例を示す構成図である。
【図２】ディジタル形保護／制御装置の構成の他例を示す構成図である。
【図３】従来のディジタル形保護／制御装置の構成を示す構成図である。
【符号の説明】
【００５５】
１０…ディジタル形保護／制御装置、１１…ＩＰ通信機能部、１２ａ…メモリ、１２ｂ…対外部ヒューマンインタフェース装置用ＩＰアドレス情報、１２ｃ…初期ＩＰアドレス情報、１３ａ…ＩＰアドレス所定値書換え処理部、１３ｂ…ＩＰアドレス任意値書換え処理部、１４ａ，１４ｂ…入力部、１５…内部バス、２０…ＩＰ通信網、３０…外部ヒューマンインタフェース装置。
【図１】
2006353021.tif 000003
【図２】
2006353021.tif 000004
【図３】
2006353021.tif 000005